【手続補正書】
【提出日】平成25年9月17日(2013.9.17)
【手続補正１】
【補正対象書類名】特許請求の範囲
【補正対象項目名】全文
【補正方法】変更
【補正の内容】
【特許請求の範囲】
【請求項１】
装置であって：
少なくとも１つの光を屈折または回折のうちの少なくとも１つを行わせるように構成される少なくとも１つの光学エレメント；
ボディの内部に挿入されるように構成される少なくとも１つの構造であって、前記少なくとも１つの光学エレメントは、前記少なくとも１つの構造内に設けられ、前記少なくとも１つの光学エレメントは、前記少なくとも１つの光を１つの第１の角度で受け入れて、光学軸に関して前記第１の角度と異なる第２の角度で少なくとも１つの屈折光または回折光を生成するように構造化される前記少なくとも１つの構造；
を備える装置。
【請求項２】
前記少なくとも１つの光はレーザー光である、請求項１に記載の装置。
【請求項３】
前記第２の角度は一定である、請求項１に記載の装置。
【請求項４】
前記少なくとも１つの光学エレメントは複数の光学エレメントであり、前記光学エレメントのうちの少なくとも２つは、前記少なくとも１つの屈折光または回折光を生成するように構造化される、請求項１に記載の装置。
【請求項５】
前記少なくとも１つの光学エレメントは、プリズム、格子、可変空間周波数格子、音響光学格子、固定格子、のうちの少なくとも１つである、請求項１に記載の装置。
【請求項６】
前記固定格子は、ホログラフィック透過格子またはブレーズド格子のうちの少なくとも１つである、請求項５に記載の装置。
【請求項７】
請求項１に記載の装置であって、発動装置をさらに備え、
前記発動装置は、前記少なくとも１つの屈折光または回折光の前記第２の角度を変えるために、前記少なくとも１つの光学エレメントを制御するように構成され、また前記少なくとも１つの構造の範囲内に少なくとも部分的に位置し、
前記発動装置は、
（ｉ）前記少なくとも１つの屈折光または回折光の前記第２の角度、および前記一定の第２の角度と異なる前記少なくとも１つの屈折光または回折光の一定の第３の角度を変えるために、前記少なくとも１つの光学エレメントを制御するようにさらに構成される、または
（ｉｉ）手動で、機械的に、電気的に、電気機械的に、または遠隔操作でのうちの少なくとも１つで制御される、
のうち少なくとも１つ以上である、
装置。
【請求項８】
請求項１に記載の装置であって、光ファイバー構成および／または少なくとも１つのレンズのうち少なくとも１つをさらに備え、
前記光ファイバー構成は、少なくとも１つの光を出力するように構成され、また前記少なくとも１つの光を前記少なくとも１つの光学エレメントに送出するように構成され、
前記少なくとも１つのレンズは、前記少なくとも１つの光学エレメントと光学的に関連し、前記少なくとも１つの光学エレメントは複数の光学エレメントであり、前記少なくとも１つのレンズは、前記複数の光学エレメント間の光パスに設けられ、および／または前記少なくとも１つのレンズは、前記少なくとも１つの光学エレメントと前記光ファイバー構成との間の光パスに設けられる、
装置。
【請求項９】
前記少なくとも１つのレンズは、光パスにおける前記少なくとも１つの光学エレメント
の後方に設けられる、請求項８に記載の装置。
【請求項１０】
請求項１に記載の装置であって、さらなる装置、受光装置、追加装置、および／または発動装置、のうち少なくとも１つをさらに備え、
前記さらなる装置は、前記少なくとも１つの光を出力するように構成され、そして、前記少なくとも１つの構造における目標組織への前記少なくとも１つの屈折光または回折光の伝搬の深さを修正するように制御され、アブレーション・レーザー、切開レーザーまたは切除レーザーのうちの少なくとも１つを含み、
前記受光装置は、前記ボディ内に設けられるように構造化され、そして、前記少なくとも１つの構造における目標組織から少なくとも１つのさらなる光を受け入れるように構成され、前記少なくとも１つのさらなる光は可視光であり、前記受光装置は、少なくとも１つの光検出器を含み、前記少なくとも１つの光検出器は、電荷結合素子（ＣＣＤ）、ファイバーバンドルまたは相補型金属酸化膜半導体（ＣＭＯＳ）検出器のうちの少なくとも１つであり、および／または前記受光装置は、前記目標組織の少なくとも１つの画像を出力するように構成され、そして、（ｉ）ユーザ制御または（ｉｉ）自動的にのうちの少なくとも１つによって前記少なくとも１つの光の適用の視覚制御を容易にする特定の装置をさらに備え、
前記追加装置は、前記少なくとも１つのさらなる光を前記目標組織に出力するように構成され、そして、前記ボディの範囲内に位置するように構造化され、
前記発動装置は、前記少なくとも１つの屈折光または回折光の前記第２の角度を変えるために、前記少なくとも１つの光学エレメントを制御するように構成され、また前記少なくとも１つの構造の範囲内に少なくとも部分的に位置する、
装置。
【請求項１１】
請求項１に記載の装置であって、さらに外部構成を備え、
前記外部構成は、前記少なくとも１つの光を前記少なくとも１つの構造に送出するように構成され、そして前記ボディから外部に位置し、前記外部構成は、前記少なくとも１つの光の周波数を、連続して時間内にまたは同時にのうちの少なくとも１つで制御するようにさらに構成され、および／または前記外部構成は波長可変レーザー装置を備える、
装置。
【請求項１２】
請求項１に記載の装置であって、さらに少なくとも１つの分散エレメントを備え、
前記少なくとも１つの分散エレメントは、前記少なくとも１つの光を回転運動において動かすために少なくとも１つの分散エレメントの回転中に、半径方向における角度に依存する特定の波長で前記少なくとも１つの光を偏向または反射のうちの少なくとも１つを行わせるように構成され、
（ｉ）前記外部構成は、前記少なくとも１つの光を半径方向に動かすために前記少なくとも１つの光の波長を変化させるようにさらに構成される、または、
（ｉｉ）前記少なくとも１つの分散エレメントは、前記少なくとも１つの光を動かすために回転するようにさらに構成される、
のうちの少なくとも１つ以上である、請求項１１に記載の装置。
【請求項１３】
装置であって：
少なくとも１つの光を反射するように構成される少なくとも２つの光学エレメント；および、
ボディの内部に挿入されるように構成される少なくとも１つの構造；を備え、
前記光学エレメントは、前記少なくとも１つの構造内に設けられ、
前記光学エレメントの第１の構成は、前記少なくとも１つの光を第１の角度で受け入れて、光学軸に関して前記第１の角度と異なる第２の角度で少なくとも１つの第１の反射光を生成するように配置されるかまたは制御され、
前記光学エレメントの第２の構成は、前記少なくとも１つの第１の反射光を受け入れて、前記光学軸に関して前記第２の角度と異なる第３の角度で少なくとも１つの第２の反射光を生成するように構造化される、
装置。
【請求項１４】
請求項１３に記載の装置であって、
（ｉ）前記少なくとも１つの光の前記第２の角度または前記第３の角度を変えるために、前記光学エレメントの前記第１の構成または前記第２の構成のうちの少なくとも１つを制御するように構成される発動装置をさらに備え、前記発動装置は、前記少なくとも１つの構造の範囲内に少なくとも部分的に位置する、
（ｉｉ）前記光学エレメントの第３の構成は、前記少なくとも１つの前記第２の反射光を受け入れて、前記光学軸に関して前記第３の角度と異なる第４の角度で少なくとも１つの第３の反射光を生成するように構造化されるかまたは制御され、前記第２の構成は、円筒形状を有するために前記少なくとも１つの第２の反射光を生成するようにさらに構造化され、および／または前記光学エレメントの第４の構成は、前記少なくとも１つの前記第３の反射光を受け入れて、前記光学軸に関して前記第４の角度と異なる第５の角度で前記ボディへ向けて少なくとも１つの第４の反射光を生成するように構造化されるかまたは制御される、
（ｉｉｉ）前記少なくとも１つの光の前記第５の角度を変えるために、前記光学エレメントの前記第１の構成または前記第２の構成のうちの少なくとも１つを制御するように構成される発動装置をさらに備え、前記発動装置は、前記少なくとも１つの構造の範囲内に少なくとも部分的に位置し、
前記第１の構成および／または前記第２の構成は円錐ミラーを備え、
前記第３の構成および／または前記第４の構成は、放物部分ミラーを備え、および／または前記第３の構成または前記第４の構成のうちの少なくとも１つは、放物形状である少な
くとも１つの部分を備える、
のうち少なくとも１つ以上である、装置。
【請求項１５】
請求項１３に記載の装置であって、
（ｉ）前記少なくとも１つの光はレーザー光である、
（ｉｉ）前記第２の角度は一定である、
（ｉｉｉ）発動装置は、前記反射光の前記第２の角度および前記光学軸に関して前記第２の角度と異なる前記反射光の前記第３の角度を変えるために、前記光学エレメントのうちの少なくとも１つを制御するようにさらに構成され、前記第１および第２の角度は一定である、
（ｉｖ）発動装置は、手動で、機械的に、電気的に、電気機械的に、または遠隔操作でのうちの少なくとも１つで制御される、
（ｖ）発動装置は、機械的装置によって少なくとも部分的に制御される、
のうち少なくとも１つ以上である、装置。
【請求項１６】
請求項１３に記載の装置であって、光ファイバー構成、少なくとも１つのレンズ、さらなる装置、受光装置、および／または外部構成、のうち少なくとも１つをさらに備え、
前記光ファイバー構成は、少なくとも１つの光を出力するように構成され、また前記少なくとも１つの光を前記光学エレメントのうちの少なくとも１つに送出するように構成され、
前記少なくとも１つのレンズは、前記光学エレメントのうちの少なくとも１つと光学的に関連し、前記少なくとも１つのレンズは、
（ａ）（ｉ）前記光学エレメント間、または（ｉｉ）前記光学エレメントと前記光ファイバー構成との間、のうち少なくとも１つの光パス、
または
（ｂ）光パスにおける前記光学エレメントの後方、
に設けられ、
前記さらなる装置は、前記少なくとも１つの光を出力するように構成され、そして、前記少なくとも１つの構造における目標組織への前記反射光の伝搬の深さを修正するように制御され、前記さらなる装置は、アブレーション・レーザー、切開レーザーまたは切除レーザーのうちの少なくとも１つを含み、
前記受光装置は、前記ボディ内に設けられ、そして、前記少なくとも１つの構造における目標組織から少なくとも１つのさらなる光を受け入れるように構成され、前記少なくとも１つのさらなる光は可視光であり、前記受光装置は、少なくとも１つの光検出器を含み、および／または前記少なくとも１つの光検出器は、電荷結合素子（ＣＣＤ）、ファイバーバンドルまたは相補型金属酸化膜半導体（ＣＭＯＳ）検出器のうちの少なくとも１つを含み、前記受光装置はさらに追加装置を備え、前記追加装置は、前記少なくとも１つのさらなる光を前記目標組織に出力するように構成され、そして前記ボディの範囲内に位置し、および／または前記受光装置は、前記目標組織の少なくとも１つの画像を出力するように構成され、そして、他の装置をさらに備え、前記他の装置は、（ｉ）ユーザ制御または（ｉｉ）自動的にのうちの少なくとも１つによって前記少なくとも１つの光の適用の視覚制御を容易にし、
前記外部構成は、前記少なくとも１つの光を前記少なくとも１つの構造に送出するように構成され、そして前記ボディから外部に位置し、前記外部構成は、前記少なくとも１つの光の周波数を、連続して時間内にまたは同時にのうちの少なくとも１つで制御するようにさらに構成され、および／または前記外部構成は波長可変レーザー装置を備える、
装置。
【請求項１７】
レーザー・ステアリングおよびフォーカシングを提供する方法であって：
−ボディ内の少なくとも１つの部分を照射するためにパターンを定めるステップ；
−前記パターンに基づいて少なくとも１つの光の屈折または回折のうちの少なくとも１つを行わせるために、ハウジング内に設けられる少なくとも１つの光学エレメントを制御するステップであって、前記ハウジングは前記ボディの内部に挿入されるように構造化されるステップ；
を含む方法。
【請求項１８】
請求項１７に記載の方法であって、
前記少なくとも１つの光を出力するステップ；
前記少なくとも１つの屈折光または回折光の角度を変えるために、前記光学エレメント
のうちの少なくとも１つを制御するステップ；
前記少なくとも１つの構造における目標組織への前記少なくとも１つの屈折光または回
折光の伝搬の深さを修正するために、前記少なくとも１つの光を制御するステップ；
前記光学エレメントのうちの少なくとも１つあるいは前記少なくとも１つの屈折光または回折光の位置または方向づけをモニタするステップ；
前記少なくとも１つの位置または前記少なくとも１つの方向づけに基づいて少なくとも１つの信号を生成するステップ；および／または
前記少なくとも１つの信号に基づいて、前記光学エレメントのうちの少なくとも１つ
の前記位置または前記方向づけのうちの少なくとも１つを制御するステップ；
のうち少なくとも１つ以上をさらに有する、方法。
【請求項１９】
請求項１７に記載の方法であって、
前記ボディの内部に挿入されるように構造化される発動装置により、制御が行われるようになっている、方法。
【請求項２０】
レーザー・ステアリングおよびフォーカシングを提供するためのコンピュータ実行可能
命令を格納したコンピュータ・アクセス可能な媒体であって、ハードウェア処理装置によ
って実行されるときに、前記ハードウェア処理装置に：
−ボディ内の少なくとも１つの部分を照射するためにパターンを定めるステップ；
−前記パターンに基づいて少なくとも１つの光の屈折または回折のうちの少なくとも１つを行わせるために、ハウジング内に設けられる少なくとも１つの光学エレメントを制御するステップであって、前記ハウジングは前記ボディの内部に挿入されるように構造化されるステップ；
を設定するコンピュータ・アクセス可能な媒体。
【請求項２１】
請求項２０に記載のコンピュータ・アクセス可能な媒体であって、
前記処理装置は、
（ａ）前記少なくとも１つの光を出力するためにソース装置を制御する、
（ｂ）光学軸に関して前記少なくとも１つの屈折光または回折光の角度を変えるために、前記光学エレメントのうちの少なくとも１つを制御する、
（ｃ）前記ボディ内の目標位置への前記屈折光または回折光の伝搬の深さを修正するために、前記少なくとも１つの光の特性を修正することによってソース装置を制御する、
（ｄ）前記光学エレメントのうちの少なくとも１つあるいは前記少なくとも１つの屈折光、
回折光または反射光の位置をモニタする、
（ｅ）前記位置または前記方向づけに基づいて少なくとも１つの信号を生成する、
（ｆ）前記少なくとも１つの信号に基づいて、前記光学エレメントのうちの少なくとも１つの前記位置または前記方向づけのうちの少なくとも１つを制御する、
（ｇ）前記ボディの内部に挿入されるように構造化される発動装置を用いて少なくとも１つの光学エレメントを制御する、
のうち少なくとも１つ以上を行うようにさらに設定される、コンピュータ・アクセス可能な媒体。
【請求項２２】
ボディの範囲内で目標組織へのレーザーのステアリングまたはフォーカシングのうちの少なくとも１つのための方法であって、
−前記ボディの範囲内の位置から前記ボディの範囲内で前記目標組織の位置を決めし、
−前記ボディの内部に挿入されるハウジングを有する特定の装置を使用して前記目標組織に関するデバイスの位置を確立し、
−（ｉ）前記組織の画像を通じて少なくとも１つの電磁放射でカットされるパスをトレースするか、（ｉｉ）前記少なくとも１つの電磁放射によって遂行される領域を定めるか、または（ｉｉｉ）前記少なくとも１つの電磁放射の位置をリアルタイムに制御するか、のうちの少なくとも１つによる制御データを生成し、
−ハウジング内に設けられる少なくとも１つの発動装置で、少なくとも１つの光を屈折
または回折のうちの少なくとも１つを行わせるために、前記制御データに基づいて、前記
ハウジング内に設けられる少なくとも１つの光学エレメントを制御する、
ことを含む方法。
【請求項２３】
請求項２２に記載の方法であって、前記少なくとも１つの光はレーザー光であり、および／または前記パスは所定のパターンに基づく、方法。
【請求項２４】
ボディの範囲内で目標組織へのレーザーのステアリングまたはフォーカシングのうちの少なくとも１つのためのコンピュータ実行可能命令を格納したコンピュータ・アクセス可能な媒体であって、ハードウェア処理装置によって実行されるときに、前記ハードウェア処理装置に：
−前記ボディの範囲内の位置から前記ボディの範囲内で前記目標組織の位置を決めるステップ；
−前記ボディの内部に挿入されるハウジングを有する特定の装置を使用して前記目標組織に関する前記デバイスの位置を確立するステップ；
−（ｉ）前記組織の画像を通じて少なくとも１つの電磁放射でカットされるパスをトレースするか、（ｉｉ）前記少なくとも１つの電磁放射によって遂行される領域を定めるか、または（ｉｉｉ）前記少なくとも１つの電磁放射の位置をリアルタイムに制御するか、のうちの少なくとも１つによる制御データを生成するステップ；および、
−ハウジング内に設けられる少なくとも１つの発動装置で、少なくとも１つの光を屈折または回折のうちの少なくとも１つを行わせるために、前記制御データに基づいて、前記ハウジング内に設けられる少なくとも１つの光学エレメントを制御するステップ；
を含む方法。
【請求項２５】
請求項２４に記載の方法であって、前記少なくとも１つの光はレーザー光であり、および／または前記パスは所定のパターンに基づく、方法。